【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
メタデータ及び１６ビットピクセルデータを含むＤＩＣＯＭファイルにおける１６ビット画像の閲覧を容易にするための方法であり、ポータブルブラウザを用いて前記１６ビット画像を閲覧することを可能にする方法であって、
少なくとも一つのＤＩＣＯＭファイルから前記ＤＩＣＯＭファイル内の前記メタデータを抽出することと、
前記ＤＩＣＯＭファイルにおいて前記１６ビットピクセルデータが格納されている場所に関するピクセルデータオフセット情報を抽出することと、
コンピュータ読取可能な非一時的記憶媒体に、キーバリューペアのセットを格納し、セット全体をＪＳＯＮフォーマットで格納することによって、ｈｔｍｌ対応フォーマットで前記メタデータ及び前記ピクセルデータオフセット情報を格納することと、
前記コンピュータ読取可能な非一時的記憶媒体に、前記ＤＩＣＯＭファイルを格納することと、
オリジナル１６ビット画像データの輝度及びコントラストのフルダイナミックレンジを保持するように、ｈｔｍｌブラウザを用いて前記ピクセルデータオフセット情報及び１６ビットＤＩＣＯＭピクセルデータを読み取る方法に関する命令であって、８ビットの上位バイトを値２５６で乗算し、その乗算結果を８ビットの下位バイトに加算することによって１６ビット画像値を演算する手順を備える命令を含むｈｔｍｌページを、前記コンピュータ読取可能な非一時的記憶媒体に格納することと、
前記コンピュータ読取可能な非一時的記憶媒体に、ｈｔｍｌブラウザを格納することと、
を含み、前記ＤＩＣＯＭファイルから前記１６ビット画像を閲覧することを所望するユーザが、前記ブラウザに前記メタデータを読み込ませ、ｈｔｍｌで前記ＤＩＣＯＭファイルを閲覧するための前記命令を前記ブラウザに実行させることによって、前記ブラウザを使用して前記１６ビット画像を閲覧可能である方法。
【請求項２】
請求項１記載の方法であって、前記ＤＩＣＯＭファイルから前記１６ビットピクセルデータを抽出すること、及び、前記抽出した１６ビットピクセルデータを、前記コンピュータ読取可能な非一時的記録媒体に、前記ｈｔｍｌ対応フォーマットで格納することを更に含む方法。
【請求項３】
メタデータ及び１６ビットピクセルデータを含むＤＩＣＯＭファイルにおける１６ビット画像の閲覧を容易にするための方法であり、ポータブルブラウザを用いて１６ビット画像を閲覧することを可能にする方法であって、
少なくとも一つのＤＩＣＯＭファイルから前記メタデータを抽出することと、
前記ＤＩＣＯＭファイルから前記１６ビットピクセルデータを抽出することと、
コンピュータ読取可能な非一時的記憶媒体に、オリジナルデータの輝度及びコントラストのフルダイナミックレンジを保持するように、ＪＳＯＮフォーマットのメタデータを格納し、データロスなしでオリジナルの非圧縮バイナリ形式の１６ビットＤＩＣＯＭピクセルデータを格納することと、
オリジナル１６ビット画像データの輝度及びコントラストのフルダイナミックレンジを保持するように、ｈｔｍｌブラウザを用いて前記１６ビットＤＩＣＯＭピクセルデータを読み取る方法に関する命令であって、８ビットの上位バイトを値２５６で乗算し、その乗算結果を８ビットの下位バイトに加算することによって１６ビット画像値を演算する手順を備える命令を含むｈｔｍｌページを、前記コンピュータ読取可能な非一時的記憶媒体に格納することと、
前記コンピュータ読取可能な非一時的記憶媒体に、ｈｔｍｌブラウザを格納することと、
を含み、前記ＤＩＣＯＭファイルから前記１６ビット画像を閲覧することを所望するユーザが、前記ブラウザに前記メタデータを読み込ませ、ｈｔｍｌで前記ＤＩＣＯＭファイルを閲覧するための前記命令を前記ブラウザに実行させることによって、前記ブラウザを使用して前記１６ビット画像を閲覧可能である方法。
【請求項４】
請求項３記載の方法であって、前記コンピュータ読取可能な非一時的記憶媒体に、１６ビットの前記ＤＩＣＯＭファイルを格納することを含む方法。
【請求項５】
請求項１又は請求項３記載の方法であって、前記コンピュータ読取可能な非一時的記憶媒体がＣＤ−ＲＯＭを備える方法。
【請求項６】
ブラウザを用いてＤＩＣＯＭファイル内の１６ビット画像を閲覧し、クライアント側で描画することを可能にするための方法であって、
（ａ）ＤＩＣＯＭファイル、（ｂ）前記ＤＩＣＯＭファイルにおいて１６ビットピクセルデータが格納されている場所に関するピクセルデータオフセット情報、（ｃ）ｈｔｍｌブラウザ、及び、（ｄ）ｈｔｍｌページを備えるコンピュータ読取可能な一時的記憶媒体であって、前記ピクセルデータオフセット情報が、ＪＳＯＮフォーマットでキーバリューペアのセットとして格納されており、前記ｈｔｍｌページが、オリジナル１６ビット画像データの輝度及びコントラストのフルダイナミックレンジを保持するように、前記ｈｔｍｌブラウザを用いて前記ピクセルデータオフセット情報及び１６ビットＤＩＣＯＭピクセルデータを読み取る方法に関する命令を含み、前記命令が、８ビットの上位バイトを値２５６で乗算し、その乗算結果を８ビットの下位バイトに加算することによって１６ビット画像値を演算する手順を備える前記コンピュータ読取可能な一時的記憶媒体にアクセスすることと、
前記ブラウザが前記ｈｔｍｌページの命令にアクセスできるように前記ブラウザをオープンすることと、
前記ピクセルデータオフセット情報を用いて前記ＤＩＣＯＭファイル内のバイトストリームから１６ビット画像を配置するために、前記ブラウザを用いることと、
前記１６ビット画像に対する８ビットの上位バイトを値２５６で乗算し、その乗算結果を８ビットの下位バイトに加算することによって１６ビット画像の値を演算することと、
を含む方法。
【請求項７】
ブラウザを用いてＤＩＣＯＭファイル内の１６ビット画像を閲覧し、クライアント側で描画することを可能にするための方法であって、
（ａ）ＤＩＣＯＭファイルから抽出された１６ビットＤＩＣＯＭピクセルデータであって、オリジナルデータの輝度及びコントラストのフルダイナミックレンジを保持するように、データロスなしのオリジナルの非圧縮バイナリ形式で格納された１６ビットＤＩＣＯＭピクセルデータ、（ｂ）ｈｔｍｌブラウザ、及び、（ｃ）ｈｔｍｌページを備えるコンピュータ読取可能な一時的記憶媒体であって、前記ｈｔｍｌページが、オリジナル１６ビット画像データの輝度及びコントラストのフルダイナミックレンジを保持するように、前記ｈｔｍｌブラウザを用いて前記１６ビットＤＩＣＯＭピクセルデータを読み取る方法に関する命令を含み、前記命令が、８ビットの上位バイトを値２５６で乗算し、その乗算結果を８ビットの下位バイトに加算することによって１６ビット画像値を演算する手順を備える前記コンピュータ読取可能な一時的記憶媒体にアクセスすることと、
前記ブラウザが前記ｈｔｍｌページの命令、及び、前記１６ビットＤＩＣＯＭピクセルデータにアクセスできるように前記ブラウザをオープンすることと、
前記１６ビット画像に対する８ビットの上位バイトを値２５６で乗算し、その乗算結果を８ビットの下位バイトに加算することによって１６ビット画像の値を演算することと、
を含む方法。
【手続補正２】
【補正対象書類名】明細書
【補正対象項目名】発明の名称
【補正方法】変更
【補正の内容】
【発明の名称】画像を閲覧するための方法